Podtech/llm-jp-corpus-v4-ja_patent huggingface dataset:
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
遊技者が前記可変表示部の変動表示を開始させるために操作する開始操作手段と、
表示結果が導出される前に、入賞について発生を許容するか否かを決定する事前決定手段と、
前記事前決定手段が入賞の発生を許容するか否かを決定したときに、性能試験を行う際に接続される試験装置に対して該事前決定手段の決定結果を特定可能な事前決定信号を出力するための出力制御を行う事前決定信号出力制御手段と、
１ゲームに要する最短時間が所定の規制時間以上となるようにゲームの進行を規制する進行規制手段と、
遊技制御プログラムが記憶されている記憶手段と、
前記遊技制御プログラムにもとづいて、演算処理を実行する演算処理手段とを備え、
前記遊技制御プログラムには、所定の呼出条件が成立したときに呼び出される第１呼出ルーチンと、所定の割込条件が成立したときに呼び出される第２呼出ルーチンとが含まれ、
前記演算処理手段は、第１呼出ルーチンが呼び出されたときは前記演算処理手段による演算状態を特定可能な特定情報を所定領域に格納しない状態で第１呼出ルーチンの実行を開始し、第２呼出ルーチンが呼び出されたときは特定情報を所定領域に格納した状態で第２呼出ルーチンの実行を開始し、
前記事前決定手段は、前回のゲームにおいて前記事前決定信号の出力制御を開始してからの経過時間に関わらず、今回のゲームにおける前記開始操作手段が操作されたときに、入賞の発生を許容するか否かを決定し、
前記事前決定信号出力制御手段は、
前回のゲームにおいて前記事前決定信号の出力制御を開始してから前記所定の規制時間が経過する前に今回のゲームにおける前記事前決定信号の出力制御が開始可能になった場合、該所定の規制時間が経過したときに前記事前決定信号の出力制御を開始し、
前回のゲームにおいて前記事前決定信号の出力制御を開始してから前記所定の規制時間が経過した後に今回のゲームにおける前記事前決定信号の出力制御が開始可能になった場合、該事前決定信号の出力制御が開始可能となったときに前記事前決定信号の出力制御を開始する
ことを特徴とするスロットマシン。
【手続補正２】
【補正対象書類名】明細書
【補正対象項目名】０００８
【補正方法】変更
【補正の内容】
【０００８】
上記課題を解決するために、本発明の手段１のスロットマシンは、
各々が識別可能な複数種類の識別情報を変動表示可能な可変表示部（リール２Ｌ、２Ｃ、２Ｒ）を備え、前記可変表示部（リール２Ｌ、２Ｃ、２Ｒ）を変動表示した後、前記可変表示部（リール２Ｌ、２Ｃ、２Ｒ）の変動表示を停止することで表示結果を導出し、該表示結果に応じて入賞が発生可能なスロットマシン（スロットマシン１）において、
遊技者が前記可変表示部の変動表示を開始させるために操作する開始操作手段と、
表示結果が導出される前に、入賞について発生を許容するか否かを決定する事前決定手段（内部抽選）と、
前記事前決定手段（内部抽選）が入賞の発生を許容するか否かを決定したときに、性能試験を行う際に接続される試験装置（試験装置１３００）に対して前記事前決定手段の決定結果（内部抽選の結果）を特定可能な事前決定信号（特別下位、一般下位、特別上位、一般上位）を出力するための出力制御を行う事前決定信号出力制御手段（内部当選フラグ１〜８信号の出力制御）と、
１ゲームに要する最短時間が所定の規制時間（４．１秒）以上となるようにゲームの進行を規制する進行規制手段（メイン制御部４１がゲームの進行を規制する制御）と、
遊技制御プログラムが記憶されている記憶手段（ＲＯＭ４１ｂ）と、
前記遊技制御プログラムにもとづいて、演算処理を実行する演算処理手段（ＣＰＵ４１ａ）とを備え、
前記遊技制御プログラムには、所定の呼出条件が成立したときに呼び出される第１呼出ルーチン（図８のＳｂ４のフリーズ状態制御処理、図９のＳｋ１７のエラー処理）と、所定の割込条件が成立したときに呼び出される第２呼出ルーチン（図９および図１０のタイマ割込処理（メイン））とが含まれ、
前記演算処理手段は、第１呼出ルーチンが呼び出されたときは前記演算処理手段による演算状態を特定可能な特定情報（フラグレジスタの値）を所定領域に格納しない状態で第１呼出ルーチンの実行を開始し、第２呼出ルーチンが呼び出されたときは特定情報を所定領域に格納した状態で第２呼出ルーチンの実行を開始し（図８のＳｂ４のフリーズ状態制御処理、図９のＳｋ１７のエラー処理は、呼出元フラグレジスタの値をスタック領域に格納せずに実行され、図９および図１０のタイマ割込処理（メイン）は、呼出元フラグレジスタの値をスタック領域に格納してから実行される）、
前記事前決定手段は、前回のゲームにおいて前記事前決定信号の出力制御を開始してからの経過時間に関わらず、今回のゲームにおける前記開始操作手段が操作されたときに、入賞の発生を許容するか否かを決定し、
前記事前決定信号出力制御手段は、
前回のゲームにおいて前記事前決定信号の出力制御を開始してから前記所定の規制時間が経過する前に今回のゲームにおける前記事前決定信号の出力制御が開始可能になった場合、該所定の規制時間が経過したときに前記事前決定信号の出力制御を開始し、
前回のゲームにおいて前記事前決定信号の出力制御を開始してから前記所定の規制時間が経過した後に今回のゲームにおける前記事前決定信号の出力制御が開始可能になった場合、該事前決定信号の出力制御が開始可能となったときに前記事前決定信号の出力制御を開始する
ことを特徴としている。
この特徴によれば、前回のゲームにおいて事前決定信号の出力制御を開始してから所定の規制時間が経過せずに今回のゲームにおける事前決定信号の出力制御が開始可能となったときに、前回のゲームにおいて事前決定信号の出力制御を開始してから所定の規制時間が経過するまで事前決定信号の出力制御の開始を遅延させることにより、前回のゲームにおいて事前決定信号の出力制御を開始してから所定の規制時間が経過せずに今回のゲームにおける事前決定信号の出力制御が開始可能となっても、必ず事前決定信号が出力される間隔が所定の規制時間以上となるので、事前決定信号の間隔を検査することで、１ゲームに要する最短時間が所定の規制時間以上確保されているか否かを正確に特定することができる。
尚、請求項１に記載のスロットマシンは、試験装置に対して出力される試験信号を出力するための出力制御を行うものであれば良く、試験信号の信号線やこれら信号線を試験装置に接続するためのコネクタ、試験信号を伝達するための配線パターン等を備えていないものであっても良い。
また、請求項１において試験装置が行う性能試験とは、スロットマシンが適切に動作するか否か、遊技用価値の付与率が適正な範囲となるか否か等の性能を確認するための試験である。
【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
アイウエアであって、
フレームと、
前記アイウエアの装着者の眉間に当接する第１電極と、
前記フレームと前記第１電極との間の距離を変更可能に前記第１電極を保持する電極保持部と
を備え、
前記電極保持部は、
前記フレームに設置された第１部材と、
前記第１部材と電気的に接続され、前記第１部材に対して相対的に移動する第２部材と
を有し、
前記第１電極は、前記第２部材の表面に設けられる、アイウエア。
【請求項２】
アイウエアであって、
フレームと、
前記アイウエアの装着者の眉間に当接する第１電極と、
前記フレームと前記第１電極との間の距離を変更可能に前記第１電極を保持する電極保持部と
を備え、
前記電極保持部は、
前記フレームに設置された第１コネクタと、
前記第１コネクタに対して着脱可能であって、前記第１電極を前記第１コネクタに電気的に接続する第２コネクタと
を有し、
前記第１電極は、前記第２コネクタの表面に設けられる、アイウエア。
【請求項３】
前記電極保持部は弾性部材を含む、請求項１又は２に記載のアイウエア。
【請求項４】
前記弾性部材は前記第１電極と電気的に接続される導電性部材を含む、請求項３に記載のアイウエア。
【請求項５】
前記弾性部材は、導電スポンジ、導電ゴム又は導電樹脂である、請求項４に記載のアイウエア。
【請求項６】
一対のノーズパッドと、
前記一対のノーズパッドの表面に設置された一対の第２電極と、
をさらに備える、請求項１から５のいずれか一項に記載のアイウエア。
【請求項７】
前記第１電極及び前記一対の第２電極に電気的に接続され、前記装着者の眼電位を検出する眼電位検出部
をさらに備える、請求項６に記載のアイウエア。
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
遊技者が前記可変表示部の変動表示を開始させるために操作する開始操作手段と、
表示結果が導出される前に、入賞について発生を許容するか否かを決定する事前決定手段と、
前記事前決定手段が入賞の発生を許容するか否かを決定したときに、性能試験を行う際に接続される試験装置に対して該事前決定手段の決定結果を特定可能な事前決定信号を出力するための出力制御を行う事前決定信号出力制御手段と、
１ゲームに要する最短時間が所定の規制時間以上となるようにゲームの進行を規制する進行規制手段と、
遊技制御プログラムが記憶されている記憶手段と、
前記遊技制御プログラムにもとづいて、演算処理を実行する演算処理手段と、
前記演算処理の実行の際に、データを記憶するデータ記憶手段と、
前記データ記憶手段のアドレスを記憶するアドレス記憶手段と、
起動条件が成立したときに、前記遊技制御プログラムの特定アドレスに設定された特定演算処理を実行し、該特定演算処理を実行するよりも前に、前記アドレスとして予め定められたアドレスを前記アドレス記憶手段に記憶させるアドレス記憶制御手段を備え、
前記事前決定手段は、前回のゲームにおいて前記事前決定信号の出力制御を開始してからの経過時間に関わらず、今回のゲームにおける前記開始操作手段が操作されたときに、入賞の発生を許容するか否かを決定し、
前記事前決定信号出力制御手段は、
前回のゲームにおいて前記事前決定信号の出力制御を開始してから前記所定の規制時間が経過する前に今回のゲームにおける前記事前決定信号の出力制御が開始可能になった場合、該所定の規制時間が経過したときに前記事前決定信号の出力制御を開始し、
前回のゲームにおいて前記事前決定信号の出力制御を開始してから前記所定の規制時間が経過した後に今回のゲームにおける前記事前決定信号の出力制御が開始可能になった場合、該事前決定信号の出力制御が開始可能となったときに前記事前決定信号の出力制御を開始する
ことを特徴とするスロットマシン。
【手続補正２】
【補正対象書類名】明細書
【補正対象項目名】０００８
【補正方法】変更
【補正の内容】
【０００８】
上記課題を解決するために、本発明の手段１のスロットマシンは、
各々が識別可能な複数種類の識別情報を変動表示可能な可変表示部（リール２Ｌ、２Ｃ、２Ｒ）を備え、前記可変表示部（リール２Ｌ、２Ｃ、２Ｒ）を変動表示した後、前記可変表示部（リール２Ｌ、２Ｃ、２Ｒ）の変動表示を停止することで表示結果を導出し、該表示結果に応じて入賞が発生可能なスロットマシン（スロットマシン１）において、
遊技者が前記可変表示部の変動表示を開始させるために操作する開始操作手段と、
表示結果が導出される前に、入賞について発生を許容するか否かを決定する事前決定手段（内部抽選）と、
前記事前決定手段（内部抽選）が入賞の発生を許容するか否かを決定したときに、性能試験を行う際に接続される試験装置（試験装置１３００）に対して前記事前決定手段の決定結果（内部抽選の結果）を特定可能な事前決定信号（特別下位、一般下位、特別上位、一般上位）を出力するための出力制御を行う事前決定信号出力制御手段（内部当選フラグ１〜８信号の出力制御）と、
１ゲームに要する最短時間が所定の規制時間（４．１秒）以上となるようにゲームの進行を規制する進行規制手段（メイン制御部４１がゲームの進行を規制する制御）と、
遊技制御プログラムが記憶されている記憶手段（ＲＯＭ４１ｂ）と、
前記遊技制御プログラムにもとづいて、演算処理を実行する演算処理手段（ＣＰＵ４１ａ）と、
前記演算処理の実行の際に、データを記憶するデータ記憶手段（スタック領域）と、
前記データ記憶手段のアドレスを記憶するアドレス記憶手段（スタックポインタ）と、
起動条件（システムリセット信号が入力されることにより成立する条件）が成立したときに、前記遊技制御プログラムの特定アドレス（リセットアドレス）に設定された特定演算処理（初期設定処理）を実行し、該特定演算処理を実行するよりも前に、前記アドレスとして予め定められたアドレス（初期アドレス）を前記アドレス記憶手段に記憶させるアドレス記憶制御手段を備え、
前記事前決定手段は、前回のゲームにおいて前記事前決定信号の出力制御を開始してからの経過時間に関わらず、今回のゲームにおける前記開始操作手段が操作されたときに、入賞の発生を許容するか否かを決定し、
前記事前決定信号出力制御手段は、
前回のゲームにおいて前記事前決定信号の出力制御を開始してから前記所定の規制時間が経過する前に今回のゲームにおける前記事前決定信号の出力制御が開始可能になった場合、該所定の規制時間が経過したときに前記事前決定信号の出力制御を開始し、
前回のゲームにおいて前記事前決定信号の出力制御を開始してから前記所定の規制時間が経過した後に今回のゲームにおける前記事前決定信号の出力制御が開始可能になった場合、該事前決定信号の出力制御が開始可能となったときに前記事前決定信号の出力制御を開始する
ことを特徴としている。
この特徴によれば、前回のゲームにおいて事前決定信号の出力制御を開始してから所定の規制時間が経過せずに今回のゲームにおける事前決定信号の出力制御が開始可能となったときに、前回のゲームにおいて事前決定信号の出力制御を開始してから所定の規制時間が経過するまで事前決定信号の出力制御の開始を遅延させることにより、前回のゲームにおいて事前決定信号の出力制御を開始してから所定の規制時間が経過せずに今回のゲームにおける事前決定信号の出力制御が開始可能となっても、必ず事前決定信号が出力される間隔が所定の規制時間以上となるので、事前決定信号の間隔を検査することで、１ゲームに要する最短時間が所定の規制時間以上確保されているか否かを正確に特定することができる。
尚、請求項１に記載のスロットマシンは、試験装置に対して出力される試験信号を出力するための出力制御を行うものであれば良く、試験信号の信号線やこれら信号線を試験装置に接続するためのコネクタ、試験信号を伝達するための配線パターン等を備えていないものであっても良い。
また、請求項１において試験装置が行う性能試験とは、スロットマシンが適切に動作するか否か、遊技用価値の付与率が適正な範囲となるか否か等の性能を確認するための試験である。
【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
演出出力玩具であって、
回転可能で、かつ、複数の出目が表面に設けられた表示体と、
前記表示体の回転に伴い前記表示体の回転軸と同軸上で回転可能で、回転軸と平行な方向に配列された３つ以上の回転部材と、
前記回転部材と対向して離間した位置に設けられた検出手段を備え、
各回転部材には、前記表示体の回転と連動して前記検出手段にて検出される被検出部が設けられており、
前記被検出部は、前記検出手段における前記被検出部の検出状態が前記複数の出目のそれぞれに対応して複数存在し得るように各回転部材に設けられており、
前記表示体を停止した際に検出された前記検出手段における前記被検出部の検出状態に応じて、音声、光及び映像の少なくとも１つから選択される演出を出力することを特徴とする演出出力玩具。
【請求項２】
各回転部材が、前記被検出部の有無について、グレイコードに準じるように互いに組合されていることを特徴とする請求項１に記載の演出出力玩具。
【請求項３】
さらに、互いに可逆的な第１モードと第２モードを検出するモード検出手段を備え、
前記演出が、前記モード検出手段によって検出された前記第１モード又は前記第２モードと前記表示体を停止した際に検出された前記検出手段における前記被検出部の検出状態との組合せに応じて決定され、出力されることを特徴とする請求項１又は２に記載の演出出力玩具。
【手続補正２】
【補正対象書類名】明細書
【補正対象項目名】０００８
【補正方法】変更
【補正の内容】
【０００８】
本発明の演出出力玩具は、演出出力玩具であって、回転可能で、かつ、複数の出目が表面に設けられた表示体と、前記表示体に固定され、前記表示体の回転軸と同軸上で回転可能な３つ以上の回転部材と、前記回転部材と離間した位置に設けられた３つ以上の検出手段を備え、各回転部材が前記表示体の回転と連動して対応する前記検出手段にて検出される被検出部を有し、前記被検出部は、前記３つ以上の検出手段における前記被検出部の検出状態が前記複数の出目のそれぞれに対応して複数存在し得るように各回転部材に設けられており、前記表示体を停止した際に検出された前記３つ以上の検出手段における前記被検出部の検出状態に応じて、音声、光及び映像の少なくとも１つから選択される演出を出力することを特徴とする。また、本発明の演出出力玩具は、演出出力玩具であって、回転可能で、かつ、複数の出目が表面に設けられた表示体と、前記表示体の回転に伴い前記表示体の回転軸と同軸上で回転可能で、回転軸と平行な方向に配列された３つ以上の回転部材と、前記回転部材と対向して離間した位置に設けられた検出手段を備え、各回転部材には、前記表示体の回転と連動して前記検出手段にて検出される被検出部が設けられており、前記被検出部は、前記検出手段における前記被検出部の検出状態が前記複数の出目のそれぞれに対応して複数存在し得るように各回転部材に設けられており、前記表示体を停止した際に検出された前記検出手段における前記被検出部の検出状態に応じて、音声、光及び映像の少なくとも１つから選択される演出を出力することを特徴とする。

【手続補正３】
【補正対象書類名】明細書
【補正対象項目名】００１０
【補正方法】変更
【補正の内容】
【００１０】
本発明の演出出力玩具は、さらに、互いに可逆的な第１モードと第２モードを検出するモード検出手段を備え、前記演出が、前記モード検出手段によって検出された前記第１モード又は前記第２モードと前記表示体を停止した際に検出された前記３つ以上の検出手段における前記被検出部の検出状態との組合せに応じて決定され、出力されてもよい。また、本発明の演出出力玩具は、さらに、互いに可逆的な第１モードと第２モードを検出するモード検出手段を備え、前記演出が、前記モード検出手段によって検出された前記第１モード又は前記第２モードと前記表示体を停止した際に検出された前記検出手段における前記被検出部の検出状態との組合せに応じて決定され、出力されてもよい。
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
液透過性のトップシートと、
液不透過性のバックシートと、
前記トップシート及び前記バックシートの間に配置された液吸収性の吸収体と、
前記トップシートから起立可能な防漏部であって、前記トップシートに固定された固定端部及び前記トップシートから離間可能な自由端部を有する前記防漏部と、
前記防漏部の自由端部に伸張状態で取り付けられた弾性部材であって、伸張方向の両端部が前記トップシートに固定された前記弾性部材と、
前記トップシート及び前記吸収体を接合する接着剤と
を備えた吸収性物品であって、
前記吸収性物品を伸展させた状態において、
前記吸収性物品は、互いに直交する長さ方向、幅方向及び厚さ方向を有し、
前記トップシートは、前記厚さ方向において前記防漏部及び前記吸収体の両方と重なる重なり部分を有し、
前記重なり部分の吸収体側表面は、前記接着剤によって前記吸収体と接合されていない非接合領域を有し、
前記吸収体は、前記長さ方向の中央部分がくびれた瓢箪状の形状を有し、
さらに、前記防漏部の固定端部及び自由端部は、前記長さ方向に延在しており、
前記吸収性物品は、前記防漏部の固定端部及び自由端部の間において前記長さ方向に延在する折り曲げ線で前記トップシート側に折り曲げられていて、
前記折り曲げ線は、前記吸収性物品を伸展させた状態において、前記吸収体のくびれた部分における前記幅方向の端部よりも前記幅方向の内側に位置している、前記吸収性物品。
【請求項２】
前記非接合領域は、前記折り曲げ線をまたぐように形成されている、請求項１に記載の吸収性物品。
【請求項３】
前記非接合領域は、前記重なり部分における前記長さ方向の一方側の端部から他方側の端部まで前記長さ方向に延在している、請求項２に記載の吸収性物品。
【請求項４】
前記非接合領域の幅は、前記防漏部の幅の２５〜１００％である、請求項２又は３に記載の吸収性物品。
【請求項５】
前記防漏部は、前記固定端部から前記自由端部まで前記幅方向に延在する第１シート部分と、前記自由端部で前記トップシート側に折り返されて前記第１シート部分と接合された第２シート部分とを有し、
前記折り曲げ線は、前記第１シート部分のうち、前記第２シート部分と接合されていない部分に位置している、請求項１〜４のいずれか１項に吸収性物品。
【請求項６】
前記第２シート部分における前記固定端部側の端部は、前記第１シート部分と接合されていない自由端部である、請求項５に記載の吸収性物品。
【手続補正書】
【提出日】平成29年4月4日(2017.4.4)
【手続補正１】
【補正対象書類名】明細書
【補正対象項目名】００１０
【補正方法】変更
【補正の内容】
【００１０】
上記の目的を達成する本発明の一態様に係る眼科装置は、
測定光を被検眼上において走査する光走査手段と、
前記被検眼から反射された光を受光する受光手段から受光信号を取得する取得手段と、
前記光走査手段の駆動位置を指令する指令手段と、
前記光走査手段の現在位置を検出する位置検出手段と、
前記指令手段が指令してから前記現在位置が前記指令された駆動位置となるまでの駆動遅延時間を測定する測定手段と、を有し、
前記取得手段は前記駆動遅延時間に基づくタイミングで前記受光信号の取得を開始することを特徴とする。
【手続補正２】
【補正対象書類名】特許請求の範囲
【補正対象項目名】全文
【補正方法】変更
【補正の内容】
【特許請求の範囲】
【請求項１】
測定光を被検眼上において走査する光走査手段と、
前記被検眼から反射された光を受光する受光手段から受光信号を取得する取得手段と、
前記光走査手段の駆動位置を指令する指令手段と、
前記光走査手段の現在位置を検出する位置検出手段と、
前記指令手段が指令してから前記現在位置が前記指令された駆動位置となるまでの駆動遅延時間を測定する測定手段と、を有し、
前記取得手段は前記駆動遅延時間に基づくタイミングで前記受光信号の取得を開始することを特徴とする眼科装置。
【請求項２】
前記光走査手段は、前記測定光を前記被検眼上において走査する第一の光走査手段と、前記第一の光走査手段とは異なる方向に前記測定光を走査する第二の光走査手段とを有し、
前記受光信号の取得中に前記第一の光走査手段と前記第二の光走査手段とのうちいずれか一方のみを走査する場合、前記受光信号の取得の開始のタイミングが基づく前記駆動遅延時間は、前記第一の光走査手段の駆動遅延時間と前記第二の光走査手段の駆動遅延時間のうち、前記受光信号の取得中に走査する光走査手段の駆動遅延時間であることを特徴とする請求項１に記載の眼科装置。
【請求項３】
前記光走査手段は、前記測定光を前記被検眼上において走査する第一の光走査手段と、前記第一の光走査手段とは異なる方向に前記測定光を走査する第二の光走査手段とを有し、
前記受光信号の取得中に前記第一の光走査手段と前記第二の光走査手段との両方を駆動する場合、前記指令手段は、前記第一の光走査手段と前記第二の光走査手段のうち、前記駆動遅延時間が短い光走査手段への指令開始タイミングを、前記駆動遅延時間が長い光走査手段への指令開始タイミングに対して遅らせて、
前記受光信号の取得の開始のタイミングが基づく前記駆動遅延時間は、前記第一の光走査手段と前記第二の光走査手段のうち、前記駆動遅延時間が長い光走査手段の駆動遅延時間であることを特徴とする請求項１に記載の眼科装置。
【請求項４】
前記測定手段は、前記眼科装置の起動時、前記被検眼の患者が変わった時、前記被検眼の左右眼の切替え時、又は、前記受光信号の取得開始時の少なくともいずれかの時に、前記駆動遅延時間を測定することを特徴とする、請求項１乃至３の何れか一項に記載の眼科装置。
【請求項５】
前記駆動遅延時間が所定の範囲外であれば、エラーを通知するエラー通知手段を更に有することを特徴とする、請求項１乃至４の何れか一項に記載の眼科装置。
【請求項６】
測定光を被検眼上において走査する光走査手段と、
前記被検眼から反射された光を受光する受光手段から受光信号を取得する取得手段と、
前記光走査手段の走査位置が、所定の位置に到達したことを検知する撮像開始位置検知手段と、を有し、
前記取得手段は前記撮像開始位置検知手段が検知したタイミングに基づいて前記受光信号の取得を開始することを特徴とする眼科装置。
【請求項７】
前記光走査手段は、前記測定光を前記被検眼上において走査する第一の光走査手段と、第一の光走査手段とは異なる方向に前記測定光を走査する第二の光走査手段とを有し、
前記受光信号の取得中に前記第一の光走査手段と前記第二の光走査手段とのうちいずれか一方のみを走査する場合、前記撮像開始位置検知手段で前記走査位置を検知する光走査手段は、前記第一の光走査手段と前記第二の光走査手段のうち、前記受光信号の取得中に走査する光走査手段であることを特徴とする請求項６に記載の眼科装置。
【請求項８】
測定光を被検眼上において走査する光走査手段と、
前記被検眼から反射された光を受光する受光手段から受光信号を取得する取得手段と、
前記光走査手段の駆動位置を指令する指令手段と、
前記光走査手段の現在位置を検出する位置検出手段と、を有する眼科装置において、
前記指令手段が指令してから前記現在位置が前記指令された駆動位置となるまでの駆動遅延時間を測定する工程と、
前記測定された駆動遅延時間に基づくタイミングで前記取得手段が前記受光信号の取得を開始する工程と、を有することを特徴とする眼科装置の制御方法。
【請求項９】
測定光を被検眼上において走査する光走査手段と、
前記被検眼から反射された光を受光する受光手段から受光信号を取得する取得手段と、を有する眼科装置において、
前記光走査手段の走査位置が、前記取得手段が前記受光信号の取得を開始する際の撮像開始位置に到達したことを検知する工程と、
前記光走査手段が前記撮像開始位置に到達したことを検知したタイミングに基づいて、前記取得手段が前記受光信号の取得を開始する工程と、を有することを特徴とする眼科装置の制御方法。 
【請求項１０】
請求項８又は９に記載の制御方法の各工程をコンピュータに実行させることを特徴とするプログラム。
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
製品の長手方向及び該長手方向に直交する製品の幅方向を有し、液透過性の表面シート、液不透過性の裏面シート及び前記表面シートと前記裏面シートとの間に設けられる吸収体を備える本体部と、前記本体部の長手方向に沿った側縁から幅方向外側に突出したフラップ部とを有する吸収性物品であって、
前記フラップ部の非肌当接面には、粘着剤が塗布された粘着領域が設けられ、
前記フラップ部は、前記表面シートと前記裏面シートとの間に設けられ、前記製品の平面視において前記フラップ部と重なる部分より小さく、前記フラップ部の剛性を高める補強シートを備え、
前記補強シートは、前記製品の平面視において、少なくとも前記粘着領域と重なる部分に前記製品の厚み方向に圧縮された圧着領域を有する吸収性物品。
【請求項２】
前記フラップ部は、第１フラップ部と、該第１フラップ部の長手方向の後端縁よりも後方に位置する第２フラップ部とを有し、
前記補強シートは、前記第１フラップ部及び前記第２フラップ部の少なくとも一方に設けられる請求項１に記載の吸収性物品。
【請求項３】
前記平面視において前記補強シートが前記粘着領域を覆うように配置されている場合、前記補強シートにおける前記圧着領域の幅方向長さは、前記粘着領域の幅方向長さより長い請求項１又は２に記載の吸収性物品。
【請求項４】
前記平面視において前記補強シートが前記粘着領域を覆うように配置されている場合、前記補強シートにおける前記圧着領域の長手方向長さは、前記粘着領域の長手方向長さより長い請求項１又は２に記載の吸収性物品。
【請求項５】
前記本体部は、該本体部の長手方向に沿った側縁に設けられた防漏壁を有するサイドシートを備え、
前記サイドシートは、長手方向に沿って配置された弾性部材を有し、
前記粘着領域の幅方向内側に位置する前記弾性部材は、伸縮力を有さない請求項１乃至３のいずれか一項に記載の吸収性物品。
【請求項６】
前記補強シートは、不織布により形成される請求項１乃至５のいずれか一項に記載の吸収性物品。
【請求項７】
前記補強シートの形状は、矩形である請求項１乃至６のいずれか一項に記載の吸収性物品。
【請求項８】
製品の長手方向及び該長手方向に直交する製品の幅方向を有し、液透過性の表面シート、液不透過性の裏面シート及び前記表面シートと前記裏面シートとの間に設けられる吸収体を備える本体部と、前記本体部の長手方向に沿った側縁から幅方向外側に突出し、前記表面シートと裏面シートとの間に設けられる補強シートを備えるフラップ部とを有する吸収性物品の製造方法であって、
前記フラップ部の非肌当接面に、粘着剤が塗布された粘着領域を形成する工程と、
前記補強シートに、前記製品の平面視において前記製品の厚み方向に圧縮された圧着領域を形成する工程と、
前記圧着領域が形成された補強シートを、前記製品の平面視において少なくとも前記粘着領域を覆う形状に切断する工程とを有する吸収性物品の製造方法。
【手続補正２】
【補正対象書類名】明細書
【補正対象項目名】００１８
【補正方法】変更
【補正の内容】
【００１８】
フラップ部３は、着用者の排泄口が当接する排泄口当接領域の中心Ｃを含む領域の幅方向Ｗの外側に配置されるウイングフラップ部（第１フラップ部）３１と、ウイングフラップ部３１の後端縁３１Ｒよりも後方に位置するヒップフラップ部３２（第２フラップ部）と、を備える。なお、排泄口当接領域は、着用者の股間部と当接する領域に含まれており、着用者の両脚の間に位置する。
【手続補正３】
【補正対象書類名】明細書
【補正対象項目名】００２１
【補正方法】変更
【補正の内容】
【００２１】
エンボス線３３は、ウイングフラップ部３１の後端縁３１Ｒから後方に延びる第１のエンボス線３３１と、第１のエンボス線３３１から分岐し、幅方向Ｗ外側に延びる第２のエンボス線３３２、第３のエンボス線３３３及び第４のエンボス線３３４とを含む。
【手続補正４】
【補正対象書類名】明細書
【補正対象項目名】００５８
【補正方法】変更
【補正の内容】
【００５８】
（密度及び目付の測定方法）
吸収体２０の目付及び密度は、例えば、以下の測定方法によって測定することができる。包装体によって包装された吸収性物品１においては包装体を開封し、折り畳まれた吸収性物品１を展開して、目付及び密度を測定する部分の厚み及び面積を測定する。次いで、目付及び密度を測定する部分を吸収性物品１から切り出し、切り出した部分の重量を測定する。次いで、切り出した部分から表面シート４、裏面シート５及び補強シート７等、吸収体２０以外の部分を取り除き、吸収体２０の重量を測定する。吸収体２０の重量と、目付及び密度を測定する部分の面積とに基づいて目付を算出する。目付及び厚みに基づいて、密度を算出する。
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
遊技に関するコマンドを決定し、決定されたコマンドを送信する主制御基板と、
前記主制御基板から前記コマンドを受信し、受信したコマンドに応じて処理を実行する副制御基板と、
を備え、
前記主制御基板と前記副制御基板との前記コマンドを含む情報の伝達が、該主制御基板から該副制御基板への一方向のみに制限された遊技機であって、
前記主制御基板は、
遊技に使用するための遊技媒体をベットするベット手段と、
遊技媒体をベットした後、スタートスイッチの操作に基づき、選択当選役と他の当選役が重複した当選種別でありストップスイッチに対する複数の操作態様のうちの所定の操作態様である正解操作態様が入賞条件として設定された選択当選種別を含む複数種類の当選種別のいずれかを当選種別抽選により決定する当選種別抽選手段と、
前記選択当選種別の当選に応じて、前記正解操作態様を報知する補助演出が実行される特定遊技状態を含む複数の遊技状態から１の遊技状態を遊技状態抽選により決定する主遊技状態遷移手段と、
前記スタートスイッチの操作に応じて、複数種類の図柄がそれぞれ配列された複数の回転リールを回転制御し、回転している回転リールに対応するストップスイッチの操作に応じ、前記当選種別抽選手段の抽選結果に基づいて、操作された該ストップスイッチに対応する回転リールをそれぞれ停止制御するリール制御手段と、
前記当選種別抽選で決定した小役の入賞に基づいて、該小役に対応する遊技媒体を払い出す払出制御手段と、
前記特定遊技状態への移行を示すコマンドを前記副制御基板に送信するコマンド送信手段と、
前記特定遊技状態への移行が決定された旨を示すための信号を、前記副制御基板とは異なる外部に出力する外部出力手段と、
を備え、
前記副制御基板は、
前記コマンドを受信するコマンド受信手段と、
前記特定遊技状態への移行を報知する報知演出および該特定遊技状態中の前記補助演出を含む演出を実行する演出実行手段と、
を備え、
前記遊技状態抽選の結果が前記特定遊技状態であった場合に、前記外部出力手段が前記特定遊技状態への移行が決定された旨を示すための信号を出力するタイミングが、前記演出実行手段が前記報知演出を実行するタイミングより相対的に早くなるように設定されていることを特徴とする遊技機。
【請求項２】
前記外部出力手段は、前記主遊技状態遷移手段が前記特定遊技状態への移行を決定した遊技において前記特定遊技状態への移行が決定された旨を示すための信号を出力することを特徴とする請求項１に記載の遊技機。
【手続補正２】
【補正対象書類名】明細書
【補正対象項目名】００１０
【補正方法】変更
【補正の内容】
【００１０】
上記課題を解決するために、本発明の遊技機は、遊技に関するコマンドを決定し、決定されたコマンドを送信する主制御基板と、主制御基板からコマンドを受信し、受信したコマンドに応じて処理を実行する副制御基板と、を備え、主制御基板と副制御基板とのコマンドを含む情報の伝達が、主制御基板から副制御基板への一方向のみに制限された遊技機であって、主制御基板は、遊技に使用するための遊技媒体をベットするベット手段と、遊技媒体をベットした後、スタートスイッチの操作に基づき、選択当選役と他の当選役が重複した当選種別でありストップスイッチに対する複数の操作態様のうちの所定の操作態様である正解操作態様が入賞条件として設定された選択当選種別を含む複数種類の当選種別のいずれかを当選種別抽選により決定する当選種別抽選手段と、選択当選種別の当選に応じて、正解操作態様を報知する補助演出が実行される特定遊技状態を含む複数の遊技状態から１の遊技状態を遊技状態抽選により決定する主遊技状態遷移手段と、スタートスイッチの操作に応じて、複数種類の図柄がそれぞれ配列された複数の回転リールを回転制御し、回転している回転リールに対応するストップスイッチの操作に応じ、当選種別抽選手段の抽選結果に基づいて、操作されたストップスイッチに対応する回転リールをそれぞれ停止制御するリール制御手段と、当選種別抽選で決定した小役の入賞に基づいて、小役に対応する遊技媒体を払い出す払出制御手段と、特定遊技状態への移行を示すコマンドを副制御基板に送信するコマンド送信手段と、特定遊技状態への移行が決定された旨を示すための信号を、副制御基板とは異なる外部に出力する外部出力手段と、を備え、副制御基板は、コマンドを受信するコマンド受信手段と、特定遊技状態への移行を報知する報知演出および特定遊技状態中の補助演出を含む演出を実行する演出実行手段と、を備え、遊技状態抽選の結果が特定遊技状態であった場合に、外部出力手段が特定遊技状態への移行が決定された旨を示すための信号を出力するタイミングが、演出実行手段が報知演出を実行するタイミングより相対的に早くなるように設定されていることを特徴とする。
【手続補正３】
【補正対象書類名】明細書
【補正対象項目名】００１１
【補正方法】変更
【補正の内容】
【００１１】
外部出力手段は、主遊技状態遷移手段が特定遊技状態への移行を決定した遊技において特定遊技状態への移行が決定された旨を示すための信号を出力してもよい。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
患者を載置する天板を備えた寝台装置と、
前記患者に対して照射するＸ線を発生するＸ線発生部と、
前記患者を透過した前記Ｘ線を検出するＸ線検出部と、
前記Ｘ線検出部の検出結果に基づいてＸ線画像を生成する画像生成部と、
前記寝台装置、前記Ｘ線発生部、前記Ｘ線検出部、前記画像生成部の駆動や制御を行うシステム制御部と、を備え、
前記システム制御部は、
前記寝台装置に横臥した前記患者の位置と、少なくとも前記Ｘ線発生部、前記Ｘ線検出部及び前記寝台装置を含む各部との位置関係を把握した上で、実際の撮影の前に前記各部の位置を仮想的に決定するとともに、実際の撮影における前記患者の被曝量を管理する被曝管理部を備えることを特徴とするＸ線画像診断装置。
【請求項２】
前記患者の被曝量に関する情報を記憶する記憶部を備えることを特徴とする請求項１に記載のＸ線画像診断装置。
【請求項３】
前記患者の被曝量や警告、前記システム制御部が前記患者へのＸ線照射位置を変更する制御を行う場合の条件といった前記Ｘ線の代替照射に関する情報を出力する出力部を備えることを特徴とする請求項１または請求項２に記載のＸ線画像診断装置。
【請求項４】
前記患者の位置を把握するべく、前記寝台装置に横臥した前記患者を撮影する撮影部を備えることを特徴とする請求項１ないし請求項３のいずれかに記載のＸ線画像診断装置。
【請求項５】
前記撮影部から前記患者までの距離を測定するセンサをさらに備えることを特徴とする請求項４に記載のＸ線画像診断装置。
【請求項６】
前記被曝管理部は、
把握された前記寝台装置に横臥した前記患者の位置と前記各部との位置関係を調整する位置合わせ部と、
前記患者に対して行われる術式に適合する前記各部の位置関係を前記術式ごとに操作者に提示する設定選択部と、
前記患者に対するＸ線の照射に関する照射情報を把握する照射情報把握部と、
前記患者に対して照射される前記Ｘ線の照射情報を変更する場合に、元となる前記照射情報に代替する照射情報を算出する代替照射法算出部と、
を備えることを特徴とする請求項１ないし請求項５のいずれかに記載のＸ線画像診断装置。
【請求項７】
前記被曝管理部は、さらに、前記患者の骨格情報を抽出する骨格抽出部と備えることを特徴とする請求項６に記載のＸ線画像診断装置。
【請求項８】
前記骨格抽出部は、
前記患者の位置を把握するべく、寝台装置に横臥した前記患者を撮影する撮影部及び前記撮影部から前記患者までの距離を測定するセンサの制御を行い、前記患者の姿、前記患者までの距離を把握する動画像取得部と、
前記動画像取得部において取得された動画像及び距離に関する情報を基に、患者の関節、骨格を把握し識別する画像認識部と、
前記画像認識部において把握された情報を基に出力部に表示させる前記患者の人体像を生成するグラフィック画像生成部と、
を備えることを特徴とする請求項７に記載のＸ線画像診断装置。
【手続補正２】
【補正対象書類名】明細書
【補正対象項目名】０００９
【補正方法】変更
【補正の内容】
【０００９】
請求項１に記載の発明の特徴は、Ｘ線画像診断装置において、患者を載置する天板を備えた寝台装置と、患者に対して照射するＸ線を発生するＸ線発生部と、患者を透過したＸ線を検出するＸ線検出部と、Ｘ線検出部の検出結果に基づいてＸ線画像を生成する画像生成部と、寝台装置、Ｘ線発生部、Ｘ線検出部、画像生成部の駆動や制御を行うシステム制御部と、を備え、システム制御部は、寝台装置に横臥した患者の位置と、少なくともＸ線発生部、Ｘ線検出部及び寝台装置を含む各部との位置関係を把握した上で、実際の撮影の前に各部の位置を仮想的に決定するとともに、実際の撮影における患者の被曝量を管理する被曝管理部を備える。
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
複数の給紙部を備える画像形成装置であって、
前記複数の給紙部に含まれる少なくとも１つの給紙部における用紙無しの発生を検知する第１検知手段と、
前記複数の給紙部に含まれる少なくとも１つの給紙部における故障の発生を検知する第２検知手段と、
前記複数の給紙部から、用紙の給紙元として使用する給紙部を選択する選択手段と、
前記第１検知手段によって用紙無しの発生が検知された給紙部は前記選択手段による選択を許可し、前記第２検知手段によって故障の発生が検知された給紙部は前記選択手段による選択を許可しないように制御する制御手段と、
を有することを特徴とする画像形成装置。
【請求項２】
前記第２検知手段が故障の発生を検知した場合に、当該故障が発生している旨を示す情報を表示させる表示手段を、更に備えることを特徴とする請求項１に記載の画像形成装置。
【請求項３】
前記表示手段は、前記第２検知手段が故障の発生を検知した給紙部の選択をユーザが指示したことに応じて前記情報を表示させることを特徴とする請求項２に記載の画像形成装置。
【請求項４】
前記第２検知手段は、給紙部内において用紙をリフトアップすることができない場合に、故障が発生したと判断することを特徴とする請求項１乃至３のいずれか１項に記載の画像形成装置。
【請求項５】
前記第２検知手段は、給紙部に備えられたセンサに異常があった場合に、故障が発生したと判断することを特徴とする請求項１乃至３のいずれか１項に記載の画像形成装置。
【請求項６】
複数の給紙部を備える画像形成装置を制御する制御方法であって、
前記複数の給紙部に含まれる少なくとも１つの給紙部における用紙無しの発生を検知する第１検知工程と、
前記複数の給紙部に含まれる少なくとも１つの給紙部における故障の発生を検知する第２検知工程と、
前記複数の給紙部から、用紙の給紙元として使用する給紙部を選択する選択工程と、
前記第１検知工程で用紙無しの発生が検知された給紙部は前記選択工程における選択を許可し、前記第２検知工程で故障の発生が検知された給紙部は前記選択工程における選択を許可しないように制御する制御工程と、
を有することを特徴とする画像形成装置の制御方法。
【請求項７】
コンピュータを、請求項１乃至５のいずれか１項に記載の画像形成装置の各手段として機能させるためのプログラム。
【手続補正２】
【補正対象書類名】明細書
【補正対象項目名】０００６
【補正方法】変更
【補正の内容】
【０００６】
本発明の特徴は、複数の給紙部のいずれかの故障を検知した場合にも、故障していない給紙部を利用して画像形成処理を実行する技術を提供することにある。
【手続補正３】
【補正対象書類名】明細書
【補正対象項目名】０００７
【補正方法】変更
【補正の内容】
【０００７】
上記目的を達成するために本発明の一態様に係る画像形成装置は以下のような構成を備える。即ち、
複数の給紙部を備える画像形成装置であって、
前記複数の給紙部に含まれる少なくとも１つの給紙部における用紙無しの発生を検知する第１検知手段と、
前記複数の給紙部に含まれる少なくとも１つの給紙部における故障の発生を検知する第２検知手段と、
前記複数の給紙部から、用紙の給紙元として使用する給紙部を選択する選択手段と、
前記第１検知手段によって用紙無しの発生が検知された給紙部は前記選択手段による選択を許可し、前記第２検知手段によって故障の発生が検知された給紙部は前記選択手段による選択を許可しないように制御する制御手段と、を有することを特徴とする。
【手続補正４】
【補正対象書類名】明細書
【補正対象項目名】０００８
【補正方法】変更
【補正の内容】
【０００８】
本発明によれば、複数の給紙部のいずれかの故障を検知した場合にも、故障していない給紙部を利用して画像形成処理を実行できるようにすることで、ユーザの作業効率をよくすることができる。
【手続補正５】
【補正対象書類名】明細書
【補正対象項目名】００１８
【補正方法】変更
【補正の内容】
【００１８】
ジョブコントロール処理２０１は、各ソフトウェアモジュールを投下・制御し、コピー、プリント、スキャン、ＵＩ処理などの画像形成装置内で発生するあらゆるジョブの制御を行う。ＵＩ処理２０２は、主に操作部１１５、操作部Ｉ／Ｆ１０６に係る制御を行う。ＵＩ処理２０２は、操作者が操作部１１５で操作した内容を、ジョブコントロール処理２０１へ通知するとともに、ジョブコントロール処理２０１からの指示に基づいて、操作部１１５の表示画面の表示内容を制御する。また操作部１１５に表示するための描画データの編集などを制御する。ネットワーク処理２０３は、主にネットワークＩ／Ｆ１０７を介して行われる外部機器との通信を制御するモジュールであり、ＬＡＮ１０５上の各外部機器との通信制御を行う。ネットワーク処理２０３はＬＡＮ１０５の各機器からの制御コマンドやデータを受信すると、その内容をジョブコントロール処理２０１へ通知する。またジョブコントロール処理２０１からの指示に基づき、ＬＡＮ１０５上の各外部機器へ制御コマンドやデータを送信する。
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
液体を吐出する吐出口と、
発熱抵抗体層と、該発熱抵抗体層に電流を流す電極と、を備え、前記吐出口から液体を吐出させるための熱エネルギーを発生する発熱抵抗素子と、を有し、
前記電極は、前記発熱抵抗体層の第一の領域に電流を流す複数の第一の電極と、前記第一の領域に隣接する前記発熱抵抗体層の第二の領域に電流を流す複数の第二の電極と、を有し、前記第一の領域の中心は、前記第一及び第二の領域を合わせた領域の中心と一致する、記録素子基板。
【請求項２】
液体を吐出する吐出口と、
発熱抵抗体層と、該発熱抵抗体層に電流を流す電極と、を備え、前記吐出口から液体を吐出させるための熱エネルギーを発生する発熱抵抗素子と、を有し、
前記電極は、前記発熱抵抗体層の第一の領域に電流を流す複数の第一の電極と、前記第一の領域よりも大きい前記発熱抵抗体層の第二の領域に電流を流す複数の第二の電極と、を有し、前記第一の領域の中心は前記第二の領域の中心と一致する、記録素子基板。
【請求項３】
前記複数の第一の電極及び前記複数の第二の電極のうちから電流を流す電極を選択し、選択した電極に応じて前記吐出口から吐出される液体の量を制御可能である駆動回路を有する、請求項１または２に記載の記録素子基板。
【請求項４】
前記駆動回路は、第一の駆動パルス信号に基づく電流を前記複数の第一の電極を介して前記第一の領域に供給し、第二の駆動パルス信号に基づく電流を前記複数の第二の電極を介して前記第二の領域に供給し、前記第一及び第二の駆動パルス信号のパルス幅が同じである、請求項３に記載の記録素子基板。
【請求項５】
前記駆動回路は、第一の駆動パルス信号に基づく電流を前記複数の第一の電極を介して前記第一の領域に供給し、第二の駆動パルス信号に基づく電流を前記複数の第二の電極を介して前記第二の領域に供給し、前記第一及び第二の駆動パルス信号のパルス幅が異なる、請求項３に記載の記録素子基板。
【請求項６】
前記発熱抵抗体層は基板の上に形成されており、前記複数の第一の電極及び前記複数の第二の電極は前記発熱抵抗体層の前記基板の側に形成されている、請求項１から５のいずれか１項に記載の記録素子基板。
【請求項７】
前記基板の表面から見て、前記複数の第一の電極及び前記複数の第二の電極は前記発熱抵抗体層の内側に位置している、請求項６に記載の記録素子基板。
【請求項８】
請求項１から７のいずれか１項に記載の記録素子基板を備えた液体吐出ヘッドを有する液体吐出装置。
【手続補正２】
【補正対象書類名】明細書
【補正対象項目名】０００６
【補正方法】変更
【補正の内容】
【０００６】
上記目的を達成するため、本発明の一態様によれば、
液体を吐出する吐出口と、
発熱抵抗体層と、該発熱抵抗体層に電流を流す電極と、を備え、前記吐出口から液体を吐出させるための熱エネルギーを発生する発熱抵抗素子と、を有し、
前記電極は、前記発熱抵抗体層の第一の領域に電流を流す複数の第一の電極と、前記第一の領域に隣接する前記発熱抵抗体層の第二の領域に電流を流す複数の第二の電極と、を有し、前記第一の領域の中心は、前記第一及び第二の領域を合わせた領域の中心と一致する、記録素子基板が提供される。
【手続補正３】
【補正対象書類名】明細書
【補正対象項目名】０００７
【補正方法】変更
【補正の内容】
【０００７】
本発明の別の態様によれば、
液体を吐出する吐出口と、
発熱抵抗体層と、該発熱抵抗体層に電流を流す電極と、を備え、前記吐出口から液体を吐出させるための熱エネルギーを発生する発熱抵抗素子と、を有し、
前記電極は、前記発熱抵抗体層の第一の領域に電流を流す複数の第一の電極と、前記第一の領域よりも大きい前記発熱抵抗体層の第二の領域に電流を流す複数の第二の電極と、を有し、前記第一の領域の中心は前記第二の領域の中心と一致する、記録素子基板が提供される。
本発明のさらに別の態様によれば、上述した記録素子基板のいずれかを備えた液体吐出ヘッドを有する液体吐出装置が提供される。
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
搬送される媒体を挿入する開口部を有する媒体セット部と、
前記媒体セット部にセットされる媒体の端部をガイドする第１のエッジガイド部と、
所定の機能を有するパネルユニットと、
を備え、
前記第１のエッジガイドは、前記パネルユニットと、前記開口部とがオーバーラップし
ていない領域において移動可能である、
ことを特徴とする、記録装置。
【請求項２】
請求項１に記載された記録装置において、
前記パネルユニットに、前記媒体セット部に前記媒体が載置される載置面と対向する斜
面が設けられている、
ことを特徴とする、記録装置。
【請求項３】
請求項２に記載された記録装置において、
少なくとも前記媒体セット部の前記開口部を開閉し、開状態において前記媒体セット部
にセットされる媒体を支持する第１の開閉部を備え、
前記開状態の前記第１の開閉部の媒体支持面は、前記パネルユニットの前記斜面の傾斜
に沿っている、
ことを特徴とする、記録装置。
【請求項４】
請求項１から３のいずれか一項に記載された記録装置において、
前記パネルユニットはチルト可能に構成された液晶ディスプレイであり、
該液晶ディスプレイが閉じた状態において、前記開口部の一部とオーバーラップする、
ことを特徴とする、記録装置。
【請求項５】
所定の機能を有するパネルユニットと、
媒体に記録を行う記録ヘッドを備え、所定方向に往復移動するキャリッジと、を備え、
前記パネルユニットは、前記記録装置の奥行方向において、前記キャリッジの少なくとも一部とオーバーラップする、
ことを特徴とする、記録装置。
【請求項６】
所定の機能を有するパネルユニットと、
媒体に記録を行う記録ヘッドを備え、所定方向に往復移動するキャリッジと、を備え、
前記パネルユニットは、前記記録装置の高さ方向において、前記キャリッジの少なくとも一部とオーバーラップする、
ことを特徴とする、記録装置。
【請求項７】
請求項１から請求項６のいずれか一項に記載の記録装置において、
前記開口部に前記パネルユニットがオーバーラップした状態で、ロール状の媒体を給紙
可能である、
ことを特徴とする、記録装置。
【請求項８】
請求項１から７のいずれか一項に記載された記録装置において、
前記第１のエッジガイドに対向する側に第２のエッジガイドを備え、
前記第１のエッジガイド部は、
前記媒体の搬送方向下流側から見て右側に設けられており、
該第１のエッジガイド部を操作して、両エッジガイド部の間隔を変える構成である、
ことを特徴とする、記録装置。
【請求項９】
請求項８に記載された記録装置において、
前記第１のエッジガイド部よりも前記第２のエッジガイド部が小さく形成されている、
ことを特徴とする、記録装置。
【請求項１０】
請求項１から９のいずれか一項に記載された記録装置において、
媒体に記録を行う記録ヘッドを備え、所定方向に往復移動するキャリッジと、
前記キャリッジの往復移動領域において開閉する第２の開閉部を備え、
前記パネルユニットと前記第２の開閉部は、前記記録装置の奥行方向に連なって配置さ
れる、
ことを特徴とする、記録装置。